(57)【要約】【課題】臀部を洗浄した後の飛沫が飛散し、衣服やトイレルームの壁面を汚すことが防止された温水洗浄装置を提供する。【解決手段】おしり洗浄ノズル１０は、外管２と、この外管２内に配管された内管１を有している。外管２の先端に、円形の開口２ｈが設けられている。内管１の先端の噴出口１ａは、この開口２ｈに臨んでいる。この噴出口１ａの外周に、先端側に向って拡径する拡径部３が周設されている。この拡径部３の外周と開口２ｈとの間が、スリット状吐水口２ａとなっている。おしり洗浄スイッチ３１ａを操作すると、噴出口１ａから洗浄水流４１が噴出し、スリット状吐水口２ａからカーテン水流４２が噴出する。洗浄水流４１で洗浄した後に飛散した飛沫は、カーテン水流４２に当たり、捕捉される。【選択図】図１
2009068199.tif 000002
【特許請求の範囲】
【請求項１】
洗浄ノズル先端の噴出口から温水を噴出して臀部を洗浄する温水洗浄装置において、
該噴出口から噴出する洗浄水流を囲み且つ該洗浄水流から離隔した囲壁状のカーテン水流を形成するためのスリット状吐水口が該噴出口の周囲に設けられていることを特徴とする温水洗浄装置。
【請求項２】
請求項１において、前記スリット状吐水口は、前記カーテン水流が該スリット状吐水口から離隔するほど拡開するように設けられていることを特徴とする温水洗浄装置。
【請求項３】
請求項１又は２において、前記噴出口から洗浄水流の噴出方向に１００ｍｍ離れた位置において、該洗浄水流から前記カーテン水流までの距離が２〜２０ｍｍであることを特徴とする温水洗浄装置。
【請求項４】
請求項１ないし３のいずれか１項において、前記噴出口への給水量と前記スリット状吐水口への給水量とが別個に調節可能に構成されていることを特徴とする温水洗浄装置。
【発明の詳細な説明】
【技術分野】
【０００１】
本発明は、洗浄ノズルから温水を噴出して臀部を洗浄する温水洗浄装置に係り、特に臀部を洗浄した後の飛沫が衣服や便器の外側などに飛散することが防止された温水洗浄装置に関する。
【背景技術】
【０００２】
近年、便器に設けられる温水洗浄装置において、洗浄性能や快適性を向上させるため、洗浄ノズルからの噴出水流の噴出力や噴出形態を変化させることが行われている。
【０００３】
例えば、特開２００４−７６４２１号の図３には、ヒータを備えた貯湯タンクと洗浄ノズルとを接続する配管にポンプを設置し、このポンプの回転数を変化させることにより、洗浄ノズルからの噴出水流の噴出力を調整することが記載されている。
【０００４】
また、同号の図２１には、洗浄ノズル内の噴出孔近傍に三角錐形状の噴出形態調整片を配置し、該噴出形態調整片を噴出孔に近づけることによって噴出水の太さを太くしたり、該噴出形態調整片を噴出孔から遠ざけることによって噴出水の太さを細くしたりすることが記載されている。
【特許文献１】特開２００４−７６４２１号
【発明の開示】
【発明が解決しようとする課題】
【０００５】
しかしながら、洗浄ノズルからの噴出水流の噴出力を強くすると、臀部を洗浄した後の飛沫が飛散し、衣服を汚したり、便器の外部に飛散するおそれがある。
【０００６】
本発明は、臀部を洗浄した後の飛沫の飛散が防止される温水洗浄装置を提供することを目的とする。
【課題を解決するための手段】
【０００７】
本発明（請求項１）の温水洗浄装置は、洗浄ノズル先端の噴出口から温水を噴出して臀部を洗浄する温水洗浄装置において、該噴出口から噴出する洗浄水流を囲み且つ該洗浄水流から離隔した囲壁状のカーテン水流を形成するためのスリット状吐水口が該噴出口の周囲に設けられていることを特徴とするものである。
【０００８】
請求項２の温水洗浄装置は、請求項１において、前記スリット状吐水口は、前記カーテン水流が該スリット状吐水口から離隔するほど拡開するように設けられていることを特徴とする。
【０００９】
請求項３の温水洗浄装置は、請求項１又は２において、前記噴出口から洗浄水流の噴出方向に１００ｍｍ離れた位置において、該洗浄水流から前記カーテン水流までの距離が２〜２０ｍｍであることを特徴とする。
【００１０】
請求項４の温水洗浄装置は、請求項１ないし３のいずれか１項において、前記噴出口への給水量と前記スリット状吐水口への給水量とが別個に調節可能に構成されていることを特徴とする。
【発明の効果】
【００１１】
本発明の温水洗浄装置によると、噴出口から噴出する洗浄水流で臀部を洗浄した後の飛沫が、洗浄水流を囲む囲壁状のカーテン水流によって捕捉され、カーテン水流外にまで飛散することが防止される。
【００１２】
本発明において、スリット状吐水口は、前記カーテン水流が該スリット状吐水口から離隔するほど拡開するように設けられていることが好ましい。これにより、臀部に当る前に、洗浄水流とカーテン水流とが接触することがより確実に防止される。
【００１３】
本発明において、噴出口から洗浄水流の噴出方向に１００ｍｍ離れた位置において、洗浄水流からカーテン水流までの距離が２〜２０ｍｍであるのが好ましい。
【００１４】
本発明において、噴出口への給水量とスリット状吐水口への給水量とが別個に調節可能に構成されているのが好ましい。この場合、噴出口への給水量を好みの水量に調節することができる。また、噴出口への給水量を多く調節した場合でも、スリット状吐水口への給水量を、臀部洗浄後の飛沫を捕捉し得る程度に抑えることができる。このため、温水の使用量を抑えることができ、また、カーテン水流が臀部に激しく当たり、飛沫が衣服や便器の外側に飛散することが防止される。
【発明を実施するための最良の形態】
【００１５】
以下、図面を参照して本発明を詳細に説明する。
【００１６】
第１図は実施の形態に係る温水洗浄装置の系統図であり、洗浄ノズル先端部を縦断面として示している。第２図は第１図の洗浄ノズル１０をII−II線方向から見た平面図、第３図は第１図のIII−III線に沿う断面図、第４図は第１図のおしり洗浄ノズル１０の部分斜視図、第５図は第４図のＶ−Ｖ線に沿う断面図である。
【００１７】
水道配管に止水栓（図示略）を介して接続された配管２１が、温水タンク２３に接続されている。この配管２１に、電磁弁２２が設けられている。
【００１８】
この温水タンク２３内にはヒータ２４が設置されており、配管２１から供給された水を加温して温水とすることが可能となっている。このヒータ２４は、制御手段３０によって負荷の制御が可能になっている。
【００１９】
この温水タンク２３内で加温された温水は、配管２５ａ、ポンプ２６ａ、電磁弁２７ａを介して洗浄ノズル１０に供給可能となっている。また、この温水タンク２３内で加温された温水は、配管２５ｂ、ポンプ２６ｂ、電磁弁２７ｂを介して洗浄ノズル１０に供給可能となっている。
【００２０】
洗浄ノズル１０は、外管２と、この外管２内に配管された内管１を有している。この内管１の基端側に対して上記配管２５ａから温水が供給され、この外管２の基端側に対して上記配管２５ｂから温水が供給されるよう構成されている。
【００２１】
外管２の先端に、円形の開口２ｈが設けられている。
【００２２】
この内管１の先端の噴出口１ａは、この開口２ｈと同軸状に配置されている。この噴出口１ａの外周に、先端側に向って拡径する拡径部３が周設されている。この拡径部３の外周と開口２ｈとの間が、スリット状吐水口２ａとなっている。第２図に示す通り、このスリット状吐水口２ａは円環状となっている。
【００２３】
この洗浄ノズル１０は、シリンダ（図示略）に保持され、水圧で前進し、バネの付勢力で後退するようにしてもよく、また、モータで前後進するようにしてもよい。
【００２４】
制御手段３０は、電磁弁２２，２７ａ、２７ｂの開閉及びポンプ２６ａ、２６ｂの回転、停止、回転数制御を行うよう構成されている。
【００２５】
リモコン３１には、臀部の洗浄スイッチ３１ａ、停止スイッチ３１ｂ、水勢調整スイッチ３１ｃ等が設けられている。これらのスイッチの操作によって発信された発信信号は、制御手段３０によって受信可能となっている。
【００２６】
次に、この温水洗浄装置の動作について説明する。
【００２７】
使用者がリモコン３１の洗浄スイッチ３１ａを操作すると、該スイッチ３１ａからの信号が制御手段３０に送信される。この信号を受信した制御手段３０は、電磁弁２２，２７ａ、２７ｂを開弁させると共に、ポンプ２６ａ、２６ｂを作動させる。
【００２８】
これにより、温水タンク２３内の温水が、配管２５ａ、ポンプ２６ａ及び電磁弁２７ａを通って内管１に供給され、噴出口１ａから洗浄水流４１（第４図）として噴出する。また、温水タンク２３内の温水が、配管２５ｂ、ポンプ２６ｂ及び電磁弁２７ｂを通って外管２に供給され、スリット状吐水口２ａからカーテン水流４２（第４図）として噴出する。
【００２９】
ここで、スリット状吐水口２ａは、上記噴出口１ａから離隔し、かつ該噴出口１ａを囲む円環状となっている。このため、このスリット状吐水口２ａから噴出するカーテン水流４２は、噴出口１ａから噴出する洗浄水流４１から離隔し、かつ該洗浄水流４１を囲む囲壁状となっている。また、温水がスリット状吐水口２ａを通るときに、温水は拡径部３の外周に沿って流れる。このため、スリット状吐水口２ａから噴出するカーテン水流４２は、スリット状吐水口２ａから離隔するほど拡開する切頭円錐形状となっている。なお、このカーテン水流４２の形状は、第４図の如くこの噴出口１ａから洗浄水流４１の噴出方向に１００ｍｍ離れた位置において、該洗浄水流４１からカーテン水流４２までの距離Ｌ（第５図）が２〜２０ｍｍとなるものであることが好ましい。なお、カーテン水流４２は、臀部にソフトに当り、周囲に飛散しない程度の水勢とされる。
【００３０】
この洗浄水流４１により、使用者の臀部が洗浄される。この洗浄水流４１で洗浄した後に飛散した飛沫は、カーテン水流４２に当たり、該カーテン水流４２によって捕捉される。これにより、洗浄後の飛沫がカーテン水流４２の外側にまで飛散することが防止される。
【００３１】
使用者がリモコン３１又は操作部の水勢スイッチ３１ｃを操作すると、該スイッチ３１ｃからの信号が制御手段３０に送信され、ポンプ２６ａの回転数が変化し、洗浄水流４１の水勢が変化する。
【００３２】
ここで、水勢スイッチ３１ｃを操作して洗浄水流４１の水勢を強くしても、カーテン水流４２の水勢に変化はない。このため、洗浄水流４１と共にカーテン水流４２の水勢まで強くなり、カーテン水流４２が臀部に激しく当たって生じた飛沫が衣服やトイレルームの壁面等にまで飛散することが防止される。但し、水勢スイッチ３１ｃの操作により、カーテン水流４２の水勢も臀部で激しく跳ね返されない範囲で変化させてもよい。
【００３３】
使用者がリモコン３１の停止スイッチ３１ｂを操作すると、制御手段３０は、ポンプ２６ａを停止させ、電磁弁２２、２７ａ、２７ｂを閉弁させる。これにより、おしり洗浄ノズル１０からの洗浄水流４１及びカーテン水流４２の噴出が停止する。
【００３４】
上記実施の形態は本発明の一例であり、本発明は上記実施の形態に限定されるものではない。
【００３５】
例えば、第６図のおしり洗浄ノズル１０Ａのように、噴出口１ｂを複数個設けてもよく、噴出口１ｂを囲むスリット状吐水口を楕円環形状のスリット状吐水口２ｂとしてもよい。第７図のおしり洗浄ノズル１０Ｂのように、略四角環形状のスリット状吐水口２ｃとしてもよい。第８図のおしり洗浄ノズル１０Ｃのように、略三角環形状のスリット状吐水口２ｄとしてもよい。第９図のおしり洗浄ノズル１０Ｄのように、略１／４円弧状のスリットを４個配置してなる一部分裂円環形状のスリット状吐水口２ｅとしてもよい。第１０図のおしり洗浄ノズル１０Ｅのように、略１／２円弧状のスリットを２個配置してなる一部分裂円環形状のスリット状吐水口２ｆとしてもよい。図示は省略するが、１／３円弧状スリットを３個設けてもよく、スリットの分割数は図示のものに限定されない。
【００３６】
上記実施の形態の温水洗浄装置は、温水タンク２３を備えたものとなっているが、瞬間湯沸し方式のヒータを備えたものとしてもよい。また、ポンプ２６ａ、２６ｂの代わりに流量調節弁を設け、給水圧によって温水を洗浄ノズルに供給するようにしてもよい。
【図面の簡単な説明】
【００３７】
【図１】実施の形態に係る温水洗浄装置の概略図である。
【図２】第１図のおしり洗浄ノズル１０をII−II線方向から見た平面図である。
【図３】第１図のIII−III線に沿う断面図である。
【図４】第１図の洗おしり浄ノズル１０の部分斜視図である。
【図５】第４図のＶ−Ｖ線に沿う断面図である。
【図６】別のおしり洗浄ノズル１０Ａの平面図である。
【図７】さらに別のおしり洗浄ノズル１０Ｂの平面図である。
【図８】異なるおしり洗浄ノズル１０Ａの平面図である。
【図９】さらに異なるおしり洗浄ノズル１０Ａの平面図である。
【図１０】異なるおしり洗浄ノズル１０Ａの平面図である。
【符号の説明】
【００３８】
１  内管
１ａ、１ｂ  噴出口
２  外管
２ａ〜２ｆ  スリット状吐水口
２ｈ  開口
３  拡径部
１０、１０Ａ、１０Ｂ、１０Ｃ、１０Ｄ、１０Ｅ  おしり洗浄ノズル
２２，２７ａ、２７ｂ  電磁弁
２３  温水タンク
２４  ヒータ
２６ａ、２６ｂ  ポンプ
３０  制御手段
３１  リモコン
【図１】
2009068199.tif 000003
【図２】
2009068199.tif 000004
【図３】
2009068199.tif 000005
【図４】
2009068199.tif 000006
【図５】
2009068199.tif 000007
【図６】
2009068199.tif 000008
【図７】
2009068199.tif 000009
【図８】
2009068199.tif 000010
【図９】
2009068199.tif 000011
【図１０】
2009068199.tif 000012